(57)【要約】【課題】排水路の空間と床上の空間とをより確実に分離する。【解決手段】この排水構造は、排水口２０ａを有する排水枡２０と、排水口２０ａを取り囲む溝８０ａを有する水封槽８０と、側壁９２及び上部壁９４を有し、側壁９２が溝８０ａに挿入されて水封槽８０とともに水封９５を形成する水封カップ９０とを備える。【選択図】図１
2007107307.tif 000002
【特許請求の範囲】
【請求項１】
排水口を有する排水枡と、
前記排水口を取り囲む溝を有する水封槽と、
側壁及び上部壁を有し、前記側壁が前記溝に挿入されて前記水封槽とともに水封を形成する水封カップと、
を備えることを特徴とする排水構造。
【請求項２】
水を通す開口部を有し前記排水枡に被せられる枡蓋を備え、前記水封カップが前記枡蓋に連結されていることを特徴とする請求項１に記載の排水構造。
【発明の詳細な説明】
【技術分野】
【０００１】
本発明は、水封を有する排水構造に関する。
【背景技術】
【０００２】
図３は、従来の排水構造を示す図である。図３に示す従来の排水構造は、床１５０に設けられた排水枡１２０と、排水枡１２０の排水口に挿入された水封管１１０と、排水枡１２０に被せられた枡蓋１３０とを備えている。枡蓋１３０は、例えば、水を通すための複数の開口部を有する。水封管１１０は、その上部に鍔１１０ａを有し、鍔１１０ａが排水枡１２０の傾斜面によって支持される。
【０００３】
床１５０上の水は、枡蓋１３０の開口部を通して排水枡１２０に流れ込み、水封管１１０を通して排水路１４０に排出される。水封管１１０は、排水路１４０の空間と床１５０上の空間とを水１７０によって分離する水封１６０を形成する。水封１６０により、排水路１４０の臭気が床１５０上の空間に漏れ込むことが防止される。
【特許文献１】特開２００４−２１１２８６号公報
【発明の開示】
【発明が解決しようとする課題】
【０００４】
図３に示す排水構造では、排水路１４０内を流れる水１７０の量が少なくて水面が水封管１１０の下端よりも低い場合には水封１６０が形成されない。このような場合には、排水路１４０の空間と床１５０上の空間とが連通するために、排水路１４０の臭気が床１５０上の空間に漏れ出す。
【０００５】
また、図３に示す排水構造では、水封管１１０の鍔１１０ａと排水枡１２０の傾斜面との間に隙間が生じやすく、この隙間を通して排水路１４０の臭気が床１５０上の空間に漏れ出しうる。
【０００６】
また、図３に示す排水構造では、枡蓋１３０と水封管１１０とが分離している。したがって、水封管１１０を清掃する際には、水封管１１０を握って排水口から取り出す必要がある。水封管１１０は、常に排水に晒されているために汚れ易いので、清掃の際に水封管１１０に触れることは衛生的ではなく不快である。
【０００７】
本発明は、上記の課題認識を基礎としてなされたものであり、例えば、排水路の空間と床上の空間とをより確実に分離すること、好ましくは、更に清掃作業時における不快感を低減することを目的とする。
【課題を解決するための手段】
【０００８】
本発明の排水構造は、排水口を有する排水枡と、前記排水口を取り囲む溝を有する水封槽と、側壁及び上部壁を有し、前記側壁が前記溝に挿入されて前記水封槽とともに水封を形成する水封カップとを備える。
【０００９】
本発明の好適な実施形態によれば、前記排水構造は、水を通す開口部を有し前記排水枡に被せられる枡蓋を備え、前記水封カップが前記枡蓋に連結されていることが好ましい。
【発明の効果】
【００１０】
請求項１に係る発明によれば、例えば、排水路の空間と床上の空間とを水封によってより確実に分離することができる。
【００１１】
請求項２に係る発明によれば、例えば、清掃作業時における不快感を低減することができる。
【発明を実施するための最良の形態】
【００１２】
以下、添付図面を参照しながら本発明の好適な実施形態を説明する。
【００１３】
図１は、本発明の好適な実施形態の排水構造を示す図である。本発明の好適な実施形態の排水構造は、排水口２０ａを有する排水枡２０と、排水口２０ａを取り囲む溝８０ａを有する水封槽８０と、側壁９２及び上部壁９４を有し側壁９２が溝８０ａに挿入されて水封槽８０とともに水封９５を形成する水封カップ９０とを備える。排水構造は、典型的には、更に、水を通す１又は複数の開口部３０ａを有する枡蓋３０を備える。枡蓋３０は、排水枡２０に被せられる。
【００１４】
排水口２０ａの形状は、例えば、円形、矩形又はその他の形状とすることができる。溝８０ａ及び水封槽８０の形状は、排水口２０ａの形状に適合する形状とすることができる。水封カップ９０の側壁９２の形状は、典型的には、溝８０ａと相似形状にされうるが、水封９０が形成される限りにおいて、排水口２０ａと異なる形状を有することもできる。水封カップ９０の上部壁９４は、平板形状でもよいし、傘形状でもよいし、その他の形状でもよいが、傘形状のように周辺部に向かって下方に傾斜する形状とすることにより上部壁９４上に水が溜まることを防止することができる。
【００１５】
この実施形態では、水封槽８０と水封カップ９０とによって形成される水封９５によって、排水路４０の空間と床５０上の空間とが分離される。これにより、排水路４０の空間の臭気が床５０上の空間に漏れ込むことが防止される。水封槽８０には、排水枡２０を通して排水路４０に水を排出する度に水が補給される。一般的には、水封槽８０内には頻繁に水が供給され、その度に水封槽８０の水が交換される。したがって、水封槽８０の水は、ある程度清浄に維持され得る。
【００１６】
この実施形態の水封９５によれば、排水路４０内を流れる水７０の量或いは水面の高さに関わらず、水封９５が維持される。したがって、排水路４０内を流れる水７０の量が低下することによって、排水路４０の空間の臭気が床５０上の空間に漏れ出す問題が解消される。
【００１７】
この実施形態によれば、排水路４０の空間と床５０上の空間とが水封カップ９０及び水封槽８０並びにそれらによって形成される水封９５によって完全に分離される。すなわち、この実施形態によれば、部材間の隙間を通して排水路４０の空間から床５０上の空間に臭気が漏れ出すことがない。
【００１８】
水封カップ９０は、連結部材３４によって枡蓋３０に連結されていることが好ましい。このような構造によれば、図２に示すように、枡蓋３０を持ち上げることによって水封カップ９０を溝８０ａから抜き取ることができる。したがって、清掃の際に、水封カップ９０を持つことなく、水封カップ９０を溝８０ａから抜き取ることができ、衛生的であり、また、清掃作業時における不快感を低減することができる。
【００１９】
排水枡２０、水封槽８０、水封カップ９０、連結部材３４、枡蓋３０は、腐食し難い材料、例えば、ステンレスで構成されることが好ましい。
【図面の簡単な説明】
【００２０】
【図１】本発明の好適な実施形態の排水構造を示す図である。
【図２】本発明の好適な実施形態の排水構造を示す図である。
【図３】従来の排水構造を示す図である。
【符号の説明】
【００２１】
２０  排水枡
２０ａ  排水口
３０  枡蓋
３０ａ  開口部
３４  連結部材
４０  排水路
５０  床
７０  水（排水）
８０  水封槽
８０ａ  溝
９０  水封カップ
９２  側壁
９４  上部壁
９５  水封
１１０  水封管
１１０ａ  鍔
１２０  排水枡
１３０  枡蓋
１４０  排水路
１５０  床
１６０  水封
１７０  水（排水）
【図１】
2007107307.tif 000003
【図２】
2007107307.tif 000004
【図３】
2007107307.tif 000005